(57)【要約】【課題】遊技機の盤面の傾きを測定するにあたり、測定面の露出の無い向かって右側の盤面においても測定できるようにする。【解決手段】測定面の露出の無い向かって右側の盤面の傾きを測定する場合、測定脚の一方の巾を狭くしてレールと盤面外枠との間隙に露出する盤面を測定するようにした。【選択図】図９
2012035030.tif 000002
【特許請求の範囲】
【請求項１】
遊技機の盤面の上下箇所に測定脚を当接して盤面の傾きを測定する測定器であり、盤面と直交方向で且つ所定の角度で少なくとも１個以上の気泡管を備えた器体と、器体の測定側面の上下端に設けられ盤面の釘やレールを跨いで先端を盤面に当接する長さを有する測定脚とで構成したことを特徴とする遊技機の傾き測定器。
【請求項２】
器体の下端の測定脚は巾広として測定時の左右のブレを防ぎ、上端の測定脚は盤面のレールと盤面外枠との隙間に入るように他方の測定脚に比べて幅を狭くしたことを特徴とする遊技機の傾き測定器。
【請求項３】
測定脚は器体の上下端方向に摺動するようにしたことを特徴とする遊技機の傾き測定器。
【請求項４】
気泡管の上部もしくは下部に斜め向きに鏡板を配置し、器体の外側面にはこの鏡板を介して気泡管の投影像を読み取れるように測定窓を設けたことを特徴とする遊技機の傾き測定器。
【発明の詳細な説明】
【技術分野】
【０００１】  この発明は遊技機の盤面の傾きを測定する測定器に関する。
【背景技術】
【０００２】  図１、図２で示したように遊技機１は、ぱちんこ島２に取り付けられた状態で遊技機１の上端が鉛直線Ａに対して後方へ傾くように取り付けられる。この傾きの程度Ｂは遊技機１の性能が最も発揮できるように遊技機１の種類によって決められている。Ｂは３分（９．０９ｍｍ）〜４分５厘迄の範囲が一般的であり４分５厘を超えて使用することは制限されている。この傾きの基準は遊技機１の盤面３の傾きにあり、遊技機１を所定の傾きに設置する場合は盤面３の測定を必要とする。【０００３】  遊技機１の傾きを設定する装置としては、同一出願人による特願２０１０−１６３３２１発明の名称  パチンコ台の傾き調整装置があり、この装置Ｃでは盤面３の左側と右側の傾きをそれぞれ設定するものであり、測定も盤面３の左右側で同様に行われる。【０００４】  測定器としては、特開平２００９−１９５５６４  発明の名称  傾斜計があり、これは盤面の釘に測定器の上部箇所を吊り下げ、他方、下部箇所の測定脚を盤面にバネで押し当てて使用するものである。
【発明の開示】
【発明が解決しようとする課題】
【０００５】  盤面３の左右の傾きを測定する場合、以下の問題点があった。
（１）盤面３はベニヤ板にプラッチック板を張って形成されているため表面に微細な凹凸があり、デジタル式の測定器では表示値の切り替わり近辺で数値が変化しやすいためアナログ式が望ましい。
（２）盤面３の上下方向のできるだけ長い距離を測って測定精度を高めたいものであるが、盤面３には測定の邪魔になりやすい釘４が配置されており、さらに盤面３の玉の移動が盤面３の向かって左側だけに限定した遊技機１（現在では大部分の機種）では、盤面３の向かって右側は測定面（左側と同一の盤面表面）の露出がなく機種に応じたデザイン凸部で覆われているため測定が難しい。
（３）釘に吊り下げて使用する前記の傾斜計では盤面３の右側上部に釘４がないため測定ができず、向かって右側の傾きの調整は向かって左側と同じ変化量程度とするあいまいな設定しかできなかった。また、盤面３と釘４の径大頭部の距離は一定でなく下部の測定脚の盤面への接触力も一定にはならないため、測定の基準が変化して測定値の精度が極端に低いものであった。盤面３の角度の一例として、３部５厘は鉛直線Ａに対して０．７７°、４分は０．８５°であり現実には非常に微細な測定を要求されるものである。
（４）前記のパチンコ台の傾き調整装置で傾きの設定を行う場合、片手で測定器５を盤面３に当て、他方の手で調整ハンドルＤを回して行うため測定器は測定値の確認が多様な方向から行えることが望ましい。
【課題を解決するための手段】
【０００６】  この本発明は上記目的を達成するために、遊技機の盤面の上下箇所に測定脚を当接して盤面の傾きを測定する測定器であり、盤面と直交方向で且つ所定の角度で少なくとも１個以上の気泡管を備えた器体と、器体の測定側面の上下端に設けられ盤面の釘やレールを跨いで先端を盤面に当接する長さを有する測定脚とで構成したものである。【０００７】  また、器体の下端の測定脚は巾広として測定時の左右のブレを防ぎ、上端の測定脚は盤面のレールと盤面外枠との隙間に入るように他方の測定脚に比べて幅を狭くしたものである。【０００８】  また、測定脚は器体の上下端方向に摺動するようにしたものである。【０００９】  また、気泡管の上部もしくは下部に斜め向きに鏡板を配置し、器体の外側面にはこの鏡板を介して気泡管の投影像を読み取れるように測定窓を設けたものである。
上記の課題解決手段による作用は次のとおりである。【００１０】  （１）測定器の器体は、測定脚の先端を盤面に当てた状態で釘やレールに接触しない。
（２）器体の上端側の測定脚はレールと盤面外枠の間隙に入り、先端がこの露出盤面に当接し、下端側の測定脚は巾広であるので盤面に安定して接地する。
（３）測定脚は釘やレール等の測定の障害に応じて、器体の上下端方向にスライドできる。
（４）気泡管を投影する鏡板の投影像は器体の外側の測定窓より確認できる。
【発明の効果】
【００１１】  上述したように本発明の遊技機の傾き測定器は、測定脚が盤面の釘やレールを跨ぐので盤面の上下方向の長い距離で測定ができ、高い精度で遊技機を必要とする傾きに設定できる。【００１２】  測定脚がスライドして釘やレールを跨ぎ、且つレールと盤面外枠の間隙に測定脚が入って測定できるので盤面の向かって右側の測定ができ、遊技機の右側の傾きも高い精度で設定できる。【００１３】  器体の下端方向の測定脚が盤面に安定して接地するので、上端方向の測定脚が巾狭であっても測定器が左右にブレる事なく安定して測定できる。【００１４】  盤面に対向する向きより測定値が読み取れるので、測定値を確認しながら行う遊技機の傾きの設定作業が行いやすい。【００１５】
【発明を実施するための最良の形態】
【００１６】  以下、本発明の実施の形態を図１〜図１７に基づいて説明する。【００１７】  図３、図４で示した測定器５は、測定側面６に測定脚７を設けた器体８と、器体８内部の気泡管９とで構成している。気泡管９は水平の姿勢で内部の気泡１０が左右の中心に位置するものであり、測定の基準面となる器体８の測定側面６に対して所定の角度で設置される。例えば図３の上部の気泡管９の場合、傾きを４分５厘とする場合は鉛直線Ａに直交する水平線Ｅに対して０．９４°の角度で設置される。【００１８】  気泡管９は左右側面１１、１２および外側面１３に窓１４、１５を備えたケース１６の測定基準面１７に一端を固定され、この上方には鏡板１８が４５°の角度で配置され、この気泡管９の投影像は外側面１３の窓１５より確認できる、この気泡管９を有するケース１６は傾きの設定数に応じて数を増減する。【００１９】    ケース１６は、それぞれの窓１４、１５が器体８の測定窓１９、２０と一致するようにして器体８の内部に収納し、一体のバネ状部２１で器体８内部に固定され、透孔２２を介して調整螺子２３をケース１６の螺子穴２４に螺合して、この調整螺子２３を回することで校正が行える。２５はエンドキャップを示し、器体８の両端に嵌入する。【００２０】  測定脚７は取り付け部２７とスライド部２８と測定部２９よりなり、取り付け部２７は穴３０を介して器体８の螺子穴３１に螺子３２で固定され、図６で示したように突条部３３とスライド部２８の溝３５との係合箇所に設けたベアリング３６でスライド部２８はガタ付無く摺動する。【００２１】  測定部２９は穴３７を介してスライド部２８の螺子穴３８に螺子３９で固定され立ち上げ先端４０を盤面３に当てて測定する。スライド部２８の移動終端はストッパーで脱落が規制される。【００２２】  上記の測定器５は、遊技機１の盤面３の釘４を跨ぎ、且つ、測定脚７を移動して釘４を避けて使用するが、盤面３の向かって右側がデザイン凸部で覆われて上部箇所に盤面３の露出が無い機種では、図９で示したようにレール４１と盤面外枠４２の間隙４３に露出し、左側の盤面３と同一の表面を拾って測定できるように測定脚７の立ち上げ先端４０を巾狭としている。さらに図８で示したように角をテーパー状４４としてレール４１と盤面外枠４２の湾曲の間隙４３に収まるようにしている。測定部２９は立ち上げ先端４０の全体を巾狭とすると強度的に不安があるため図１０に示したようにレール４１の高さをやや超えた部分のみを巾狭としている。【００２３】  図１１、図１２は測定部２９の立ち上げ先端４０を円柱としたものを示している。この円柱は測定部２９の下面より螺子で固定される。図１３から図１７は気泡管９を円柱の透明ケース４５に収めてそれぞれ所定の傾きで器体８の測定窓１９に固定した実施例を示している。【００２４】  上記の測定器５は遊技機１の傾きの設定にあたり、盤面３の左右の測定が行われ、片手で測定器５を盤面３に当てて、他方の手で傾き調整装置ＣのハンドルＤを回して傾きの設定が行われる。
【図面の簡単な説明】
【００２５】
【図１】盤面の傾きの設定および測定状態を示す斜視図
【図２】図１の断面図
【図３】測定器の斜視面図
【図４】測定器の分解斜視図
【図５】測定器の断面図
【図６】図３のＦ−Ｆ線に沿う断面図
【図７】測定脚の測定部の斜視図
【図８】図７のＧ−Ｇ線に沿う断面図
【図９】盤面の右側の測定状態を示す正面図
【図１０】図９のＨ方向より視た測定部の拡大図
【図１１】測定部の他の実施例図
【図１２】同上実施例図
【図１３】他の実施例を示す測定器の正面図
【図１４】同上平面図
【図１５】同上底面図
【図１６】同上左側面図
【図１７】同上右側面図
【符号の説明】
【００２６】  Ａ・・・鉛直線
Ｂ・・・傾きの程度
Ｃ・・・傾き調整装置
Ｄ・・・ハンドル
１・・・遊技機
２・・・ぱちんこ島
３・・・盤面
４・・・釘
５・・・測定器
６・・・測定側面
７・・・測定脚
８・・・器体
９・・・気泡管
１８・・・鏡板
２０・・・測定窓
【図１】
2012035030.tif 000003
【図２】
2012035030.tif 000004
【図３】
2012035030.tif 000005
【図４】
2012035030.tif 000006
【図５】
2012035030.tif 000007
【図６】
2012035030.tif 000008
【図７】
2012035030.tif 000009
【図８】
2012035030.tif 000010
【図９】
2012035030.tif 000011
【図１０】
2012035030.tif 000012
【図１１】
2012035030.tif 000013
【図１２】
2012035030.tif 000014
【図１３】
2012035030.tif 000015
【図１４】
2012035030.tif 000016
【図１５】
2012035030.tif 000017
【図１６】
2012035030.tif 000018
【図１７】
2012035030.tif 000019